【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
無線周波数識別（ＲＦＩＤ）デバイスであって：
受信アンテナ；
送信アンテナ；
複数の共振器を含む多重共振器であって、前記多重共振器は、前記受信アンテナと前記送信アンテナとの間で電気的に接続される共振器；ならびに
前記ＲＦＩＤデバイスの２つ以上の電気伝導性構造をつなぐセンサ材料であって、前記センサ材料は、前記センサ材料が曝露される環境条件に依存して変化するように構成された変動電気伝導率を有するセンサ材料
を含み、
前記多重共振器の共振振幅は、前記センサ材料の第１の電気伝導率に依存する第１の量により減衰して、第１の応答を提供し、前記ＲＦＩＤセンサから第１の振幅を有する第１の応答を出力するように構成され、前記第１の振幅は、環境条件の第１の状態に依存し、
前記多重共振器の共振振幅は、前記センサ材料の第２の電気伝導率に依存する第２の量により減衰して、第２の応答を提供し、前記ＲＦＩＤセンサから第２の振幅を有する第２の応答を出力するように構成され、前記第２の振幅は、環境条件の第２の状態に依存する、無線周波数識別（ＲＦＩＤ）デバイス。
【請求項２】
前記多重共振器の第１のアーム；および
間隙空間によって前記第１のアームから間隔をあけた前記多重共振器の第２のアームをさらに含む、請求項１に記載のＲＦＩＤデバイスであって、
前記センサ材料が、間隙空間内に位置付けられ、前記第１のアームと前記第２のアームとの間の間隙空間の幅をつなぐ、ＲＦＩＤデバイス。
【請求項３】
前記センサ材料が、ポリビニルアルコール、充填ポリビニルアルコール複合体、ポリアクリル酸、半導体フィルム、スパッタリングされた半導体フィルム、蒸着半導体フィルム、ポリピロール、ポリアニリン、ポリエチレンアミン、ポリ（エチレン−ｃｏ−アクリル酸）、ポリ（ビニルアルコール）−ポリピロール−塩化鉄（ＰＶＡ−ＰＰｙ−ＦｅＣｌ３）複合体フィルム、多層カーボンナノチューブ（ＭＷＣＮＴ）／ポリ（フッ化ビニリデン）（ＰＶＤＦ）、ポリカプロラクタム、ナイロン−６，６、ポリオキシメチレン、高密度ポリエチレン、およびこれら２つ以上の組み合わせの少なくとも１つを含む、請求項２に記載のＲＦＩＤデバイス。
【請求項４】
前記センサ材料がポリビニルアルコールを含み、前記ＲＦＩＤデバイスがさらに、相対湿度をモニターまたは測定するように構成される、請求項２に記載のＲＦＩＤデバイス。
【請求項５】
前記センサ材料はポリアクリル酸を含み、前記ＲＦＩＤデバイスがさらにｐＨ１〜１２をもたらす水素イオン濃度をモニターまたは測定するように構成される、請求項２に記載のＲＦＩＤデバイス。
【請求項６】
前記センサ材料はポリピロールを含み、前記ＲＦＩＤデバイスがさらに温度をモニターまたは測定するように構成される、請求項２に記載のＲＦＩＤデバイス。
【請求項７】
無線周波数識別（ＲＦＩＤ）システムであって：
ＲＦＩＤリーダ；および
前記ＲＦＩＤリーダからの質問を受信し、前記質問の受信時にＲＦＩＤリーダに対する応答をアウトプットするように構成されたＲＦＩＤセンサデバイスであって、前記ＲＦＩＤセンサデバイスが、
受信アンテナ；
送信アンテナ；
複数の共振器を含む多重共振器であって、前記受信アンテナと前記送信アンテナとの間で電気的に接続される多重共振器；および
前記ＲＦＩＤデバイスの２つ以上の電気伝導性構造をつなぐセンサ材料であって、前記センサ材料が曝露される環境条件に依存して変化するように構成された変動電気伝導率を有するセンサ材料、
を含み、
前記多重共振器の共振振幅は、前記センサ材料の第１の電気伝導率に依存する第１の量により減衰して、第１の応答を提供し、前記ＲＦＩＤセンサから第１の振幅を有する第１の応答を出力するように構成され、前記第１の振幅は、環境条件の第１の状態に依存し、
前記多重共振器の共振振幅は、前記センサ材料の第２の電気伝導率に依存する第２の量により減衰して、第２の応答を提供し、前記ＲＦＩＤセンサから第２の振幅を有する第２の応答を出力するように構成され、前記第２の振幅は、環境条件の第２の状態に依存するＲＦＩＤセンサデバイス
を含む無線周波数識別（ＲＦＩＤ）システム。
【請求項８】
前記ＲＦＩＤリーダを含むＲＦＩＤコントローラをさらに含み、前記ＲＦＩＤリーダによって受信された応答の振幅に応答するデータを記憶するように構成されたメモリをさらに含む、請求項７に記載のＲＦＩＤシステム。
【請求項９】
前記多重共振器の第１のアーム；および
間隙空間によって前記第１のアームから間隔をあけた多重共振器の第２のアームをさらに含む、請求項８に記載のＲＦＩＤシステムであって、
前記センサ材料が、前記間隙空間内に位置付けられ、前記第１のアームと前記第２のアームとの間の間隙空間の幅をつなぐ、ＲＦＩＤシステム。
【請求項１０】
前記センサ材料はポリビニルアルコール、ポリアクリル酸、満ポリアクリル酸コンポジット、ポリアリレン、満ポリアリレンコンポジットのうちの少なくとも１つを含む、請求項９に記載のＲＦＩＤシステム。
【請求項１１】
前記センサ材料はポリビニルアルコールを含み、前記ＲＦＩＤデバイスがさらに、相対湿度をモニターまたは測定するように構成される、請求項９に記載のＲＦＩＤデバイス。
【請求項１２】
前記センサ材料はポリアクリル酸を含み、前記ＲＦＩＤデバイスがさらに水素イオン濃度をモニターまたは測定するように構成される、請求項９に記載のＲＦＩＤデバイス。
【請求項１３】
前記センサ材料はポリピロールを含み、前記ＲＦＩＤデバイスがさらに温度をモニターまたは測定するように構成される、請求項２に記載のＲＦＩＤデバイス。
【請求項１４】
環境条件をセンシングする方法であって：
ＲＦＩＤセンサを用いる無線周波数識別（ＲＦＩＤ）リーダからの第１の質問を受信する工程であって、前記ＲＦＩＤセンサが：
受信アンテナ；
送信アンテナ；
複数の共振器を含む多重共振器であって、前記多重共振器の第１のアーム、および間隙空間によって前記第１のアームから間隔をあけた多重共振器の第２のアームを含み、前記受信アンテナと前記送信アンテナとの間で電気的に接続される多重共振器；および
間隙空間内で、前記第１のアームと前記第２のアームとの間の前記間隙空間の幅をつなぐセンサ材料であって、前記センサ材料が曝される環境条件に依存して変化するように構成される変動電気伝導率を有するセンサ材料を含む、工程；
前記センサ材料の第１の電気伝導率に依存する第１の量によって前記多重共振器の共振振幅を減衰し、第1の応答を提供する工程；
前記ＲＦＩＤセンサからの第１の振幅を有する第１の応答をアウトプットする工程であって、前記第１の振幅は前記環境条件の第１の状態に依存する工程；
前記ＲＦＩＤセンサを用いて前記ＲＦＩＤリーダからの第２の質問を受信する工程；
前記センサ材料の第２の電気伝導率に依存する第２の量によって前記多重共振器の共振振幅を減衰し、第２の応答を提供する工程であって、前記第１の量は前記第２の量と異なる、工程；
前記ＲＦＩＤセンサから第２の振幅を有する第２の応答をアウトプットする工程であって、前記第２の振幅が第１の振幅とは異なり、前記環境条件の第２の状態に依存する工程
を含む、方法。
【請求項１５】
前記センサ材料が、ポリビニルアルコール、充填ポリビニルアルコール複合体、ポリアクリル酸、半導体フィルム、スパッタリングされた半導体フィルム、蒸着半導体フィルム、ポリピロール、ポリアニリン、ポリエチレンアミン、ポリ（エチレン−ｃｏ−アクリル酸）、ポリ（ビニルアルコール）−ポリピロール−塩化鉄（ＰＶＡ−ＰＰｙ−ＦｅＣｌ３）複合体フィルム、多層カーボンナノチューブ（ＭＷＣＮＴ）／ポリ（フッ化ビニリデン）（ＰＶＤＦ）、ポリカプロラクタム、ナイロン−６，６、ポリオキシメチレン、高密度ポリエチレン、およびこれら２つ以上の組み合わせの少なくとも１つを含み、前記方法が、相対湿度、水素イオン濃度および温度の少なくとも１つをモニターするまたは測定する工程を含む、請求項１４に記載の方法。
【請求項１６】
前記センサ材料はポリビニルアルコールを含み、前記方法は、相対湿度をモニターまたは測定することを含む、請求項１４に記載の方法。
【請求項１７】
前記センサ材料はポリビニルアルコールを含み、前記方法はさらに水素イオン濃度をモニターまたは測定することを含む、請求項１４に記載の方法。
【請求項１８】
前記センサ材料はポリアクリル酸を含み、前記方法はさらに相対湿度をモニターまたは測定することを含む、請求項１４に記載の方法。